(57)【要約】【課題】収納容器内の放射性廃棄物に密度分布や放射能濃度分布がある場合でも、収納容器内の放射性廃棄物の放射能濃度または放射能量を高精度に評価することができる廃棄物計測装置を提供する。【解決手段】放射性廃棄物の汚染量評価結果データを格納するデータベース２と、放射性廃棄物の３次元形状データを格納するデータベース３と、放射性廃棄物の容器内収納パターンデータを格納するデータベース１４と、収納容器７内の放射性廃棄物８の放射線のエネルギスペクトルを計測する放射線計測装置９と、収納容器７ａに収納された放射性廃棄物８ａの放射線のエネルギスペクトルを計算して求める解析装置５と、解析装置５と放射線計測装置９とのエネルギスペクトルの差が小さくなるような反復計算を行って、収納容器７内の放射能濃度の分布を求める濃度分布評価装置１２と、濃度分布評価装置１２が求めた放射能濃度の分布を表示する出力装置１３を備える。【選択図】図１
2018189551.tif 000002
【特許請求の範囲】
【請求項１】
プラントの解体により発生した放射性廃棄物の放射能汚染量を評価した結果のデータである汚染量評価結果データを格納する汚染量評価結果データベースと、
前記放射性廃棄物の３次元の形状と大きさのデータである３次元形状データを格納する３次元形状データベースと、
前記放射性廃棄物の収納容器の中での配置を示すデータである容器内収納パターンデータを格納する容器内収納パターンデータベースと、
前記収納容器に収納された前記放射性廃棄物の放射線のエネルギスペクトルを計測する放射線計測装置と、
前記３次元形状データと前記容器内収納パターンデータとを用いて作成した解析対象物のモデルを用いて、前記収納容器に収納された前記放射性廃棄物の放射線のエネルギスペクトルを計算して求める解析装置と、
前記解析装置が求めた前記エネルギスペクトルのデータと、前記放射線計測装置が計測した前記エネルギスペクトルのデータと、前記汚染量評価結果データと、前記容器内収納パターンデータとを用い、前記解析装置が求めた前記エネルギスペクトルと前記放射線計測装置が計測した前記エネルギスペクトルとの差が小さくなるような反復計算を行って、前記収納容器内における前記放射性廃棄物の放射能濃度の分布または放射能量の分布を求める濃度分布評価装置と、
前記濃度分布評価装置が求めた、前記放射能濃度の分布または前記放射能量の分布を表示する出力装置と、
を備えることを特徴とする廃棄物計測装置。
【請求項２】
前記濃度分布評価装置は、前記放射能濃度の分布または前記放射能量の分布を、前記収納容器内における前記放射性廃棄物の放射能濃度または放射能量についての拘束条件を満たすように求め、
前記拘束条件は、前記汚染量評価結果データと前記容器内収納パターンデータとから導出された、前記モデルでの放射能濃度または放射能量を基に作成される、
請求項１に記載の廃棄物計測装置。
【請求項３】
前記モデルは、複数の領域に分割され、
前記拘束条件は、互いに接続する２つの前記領域の間の放射能濃度または放射能量の大小関係である、
請求項２に記載の廃棄物計測装置。
【請求項４】
前記解析装置が求めた前記エネルギスペクトルのデータと、前記放射線計測装置が計測した前記エネルギスペクトルのデータと、前記汚染量評価結果データと、前記容器内収納パターンデータとを入力する評価条件入力装置をさらに備え、
前記評価条件入力装置は、前記拘束条件を生成する、
請求項２または３に記載の廃棄物計測装置。
【請求項５】
前記汚染量評価結果データは、前記プラントの解体後に除染された前記放射性廃棄物の放射能汚染量の測定結果を含む、
請求項１から４のいずれか１項に記載の廃棄物計測装置。
【請求項６】
前記汚染量評価結果データ、前記３次元形状データ、及び前記容器内収納パターンデータを作成して格納するプラント解体計画支援システムに接続され、
前記汚染量評価結果データベース、前記３次元形状データベース、及び前記容器内収納パターンデータベースは、それぞれ、前記汚染量評価結果データ、前記３次元形状データ、及び前記容器内収納パターンデータを、前記プラント解体計画支援システムから取得する、
請求項１から５のいずれか１項に記載の廃棄物計測装置。
【発明の詳細な説明】
【技術分野】
【０００１】
本発明は、廃棄物計測装置に関し、より詳しくは、放射性廃棄物の放射能濃度または放射能量を測定する放射性廃棄物の計測装置に関する。
【背景技術】
【０００２】
原子力発電施設等のプラントの廃止措置においては、プラントの解体に伴い、放射化された廃棄物や放射能により汚染された廃棄物等の放射性廃棄物が発生する。これらの廃棄物については、放射能濃度のレベルに応じた処理・処分が義務付けられているため、その放射能濃度を測定する必要がある。放射能濃度の測定では、Ｃｏ−６０やＣｓ−１３７等のガンマ線源から放射されるガンマ線が主な対象となる。
【０００３】
放射性廃棄物には、配管や弁等の金属や、建屋の解体に伴い発生するコンクリート等からなるものがある。これらの廃棄物は、従来、円筒型のドラム缶に収納され、さらにドラム缶にモルタルや砂等が充填された上で、管理、または処理・処分が実施される。これらの廃棄物の管理、または処理・処分にあたっては、ドラム缶に収納された廃棄物の放射能濃度を測定し、定量化する必要がある。
【０００４】
ドラム缶内の放射能濃度を測定する装置には、例えば特許文献１に記載の装置がある。この装置は、ドラム缶の回転対称性を利用して、ドラム缶を回転させながらドラム缶内の放射性廃棄物から放出されるガンマ線のエネルギスペクトルを測定し、Ｃｏ−６０やＣｓ−１３７等の放射性核種の放射能濃度を定量化する。定量化にあたっては、測定したエネルギスペクトルから得られる散乱線強度と非散乱線強度の比率に基づいて、ドラム缶内の廃棄物自身によるガンマ線の減衰の影響を評価して考慮する。特許文献１の装置では、ドラム缶内に放射能濃度の分布や偏在がある場合でも、ドラム缶を回転しながら測定することにより、放射能濃度を平均化した値として測定することが可能である。
【０００５】
近年、廃棄物の輸送や処理・処分を合理化するため、廃棄物の収納容器をドラム缶から角型の容器にすることが検討されている。角型の容器を対象に、容器内の放射能を測定する装置には、例えば特許文献２に記載の装置がある。この装置は、放射性廃棄物の質量と高さと平均密度を取得して、角型の収納容器の周囲に配置した放射線検出部の測定データから、放射性廃棄物の放射能量を評価する。
【０００６】
また、最近では、放射性廃棄物の長期間にわたる管理費の削減等のために、原子力発電プラントの解体計画を支援するプラント解体計画支援装置が開発されている。特許文献３には、プラント解体計画支援装置の一例が記載されている。この装置は、原子力発電プラントの廃止措置の計画時に、解体対象物の３次元形状データ（ＣＡＤデータ）を用い、プラントの解体工程で発生する放射性の廃棄物の線源強度を基に、廃棄物収納容器への廃棄物の収納パターンをシミュレーションで求め、必要な収納容器の個数を算出する。
【先行技術文献】
【特許文献】
【０００７】
【特許文献１】特開２０００−５６０２５号公報
【特許文献２】特開２０１５−１２１５０５号公報
【特許文献３】特開２０１５−８７３００号公報
【発明の概要】
【発明が解決しようとする課題】
【０００８】
上述したように、放射性廃棄物の管理、または処理・処分にあたっては、廃棄物収納容器に収納された廃棄物の放射能濃度を測定し、定量化する必要がある。
【０００９】
廃棄物収納容器として円筒型のドラム缶を使用した場合には、ドラム缶の輸送や処分場への埋設の際にドラム缶同士の間に隙間が生じるため、空間を有効に活用できないという課題がある。このため、廃棄物の輸送や処理・処分の合理化を目的にドラム缶に替えて角型の容器を収納容器として利用することが検討されていることは、すでに述べた。
【００１０】
また、原子力プラントの解体時に発生する放射性の廃棄物は、様々な形状・サイズのものが想定されるため、収納容器がドラム缶であるか角型容器であるかに関わらず、廃棄物を容器に収納すると、放射性廃棄物の密度や放射能濃度の分布・偏在が容器内に生じる可能性がある。放射性廃棄物の密度や放射能濃度の分布・偏在が存在する可能性を考慮せず、容器内の放射性廃棄物の密度や放射能濃度が一様であると仮定して放射能濃度を求めると、誤差が非常に大きくなる可能性があることは想像に難くない。
【００１１】
収納容器がドラム缶の場合、特許文献１に記載の方法によれば、ドラム缶内に放射性廃棄物の密度や放射能濃度の分布・偏在がある場合でも、ドラム缶を回転しながら測定することにより、放射能濃度を平均化した値として測定することが可能である。しかし、収納容器が角型容器の場合には、ドラム缶のような回転対称性がないため、特許文献１に記載の装置を用いても、収納容器内の放射性廃棄物の放射能濃度を精度良く評価することが難しいという課題がある。特許文献２に記載の装置は、主に角型容器を対象とした計測装置であり、収納容器内の放射性廃棄物の密度として容器内を一様とした平均密度を使用し、容器の各面から放出されるガンマ線を平均して放射性廃棄物の放射能量を算出し、評価を行う。このため、特許文献２に記載の装置でも、容器内に密度分布や放射能濃度分布がある場合にこれらの影響を考慮することが難しく、求めた放射能濃度に大きい誤差が含まれる可能性があるという課題がある。
【００１２】
本発明の目的は、収納容器内の放射性廃棄物に密度分布や放射能濃度分布がある場合でも、収納容器内の放射性廃棄物の放射能濃度または放射能量を高精度に評価することができる廃棄物計測装置を提供することである。
【課題を解決するための手段】
【００１３】
本発明による廃棄物計測装置は、プラントの解体により発生した放射性廃棄物の放射能汚染量を評価した結果のデータである汚染量評価結果データを格納する汚染量評価結果データベースと、前記放射性廃棄物の３次元の形状と大きさのデータである３次元形状データを格納する３次元形状データベースと、前記放射性廃棄物の収納容器の中での配置を示すデータである容器内収納パターンデータを格納する容器内収納パターンデータベースと、前記収納容器に収納された前記放射性廃棄物の放射線のエネルギスペクトルを計測する放射線計測装置と、前記３次元形状データと前記容器内収納パターンデータとを用いて作成した解析対象物のモデルを用いて、前記収納容器に収納された前記放射性廃棄物の放射線のエネルギスペクトルを計算して求める解析装置と、前記解析装置が求めた前記エネルギスペクトルのデータと、前記放射線計測装置が計測した前記エネルギスペクトルのデータと、前記汚染量評価結果データと、前記容器内収納パターンデータとを用い、前記解析装置が求めた前記エネルギスペクトルと前記放射線計測装置が計測した前記エネルギスペクトルとの差が小さくなるような反復計算を行って、前記収納容器内における前記放射性廃棄物の放射能濃度の分布または放射能量の分布を求める濃度分布評価装置と、前記濃度分布評価装置が求めた、前記放射能濃度の分布または前記放射能量の分布を表示する出力装置とを備える。
【発明の効果】
【００１４】
本発明によると、収納容器内の放射性廃棄物に密度分布や放射能濃度分布がある場合でも、収納容器内の放射性廃棄物の放射能濃度または放射能量を高精度に評価することができる廃棄物計測装置を提供できる。
【図面の簡単な説明】
【００１５】
【図１】本発明の実施例１による廃棄物計測装置の構成を示す図である。
【図２】本発明の実施例１において、収納容器内に収納された放射性廃棄物の一例を示す図である。
【図３】本発明の実施例１において、収納容器のモデルと放射性廃棄物のモデルの一例を示す図である。
【図４】本発明の実施例１において、汚染量評価結果データベースに格納された汚染量評価結果データの一例を示す図である。
【図５】本発明の実施例１において、解析条件入力装置が表示する解析条件入力画面の一例を示す図である。
【図６】本発明の実施例１において、評価条件入力装置が表示する評価条件入力画面の一例を示す図である。
【図７】本発明の実施例１において、評価条件入力装置が生成し濃度分布評価装置が使用する厳しい拘束条件を説明する図である。
【図８】本発明の実施例１において、出力装置が表示する濃度評価結果表示画面の一例を示す図である。
【図９】本発明の実施例２において、放射性廃棄物にプラントの解体後に除染をしたか否かが示されている汚染量評価結果データの一例を示す図である。
【発明を実施するための形態】
【００１６】
原子力発電施設等のプラントの解体により発生した放射性の解体廃棄物（放射性廃棄物）は、収納容器に収納される。放射性廃棄物の管理、または処理・処分にあたっては、収納容器内の放射性廃棄物の放射能濃度または放射能量を測定し、定量化する必要がある。
【００１７】
本発明による廃棄物計測装置は、後述するように、汚染量評価結果データ、３次元形状データ、及び容器内収納パターンデータを用い、収納容器内の放射性廃棄物に密度分布や放射能濃度分布がある場合でも、収納容器内の放射性廃棄物の放射能濃度または放射能量を高精度に評価することができる。放射性廃棄物の収納容器は、形状が角型であってもドラム缶のような円筒型であってもよい。
【００１８】
以下の実施例では、廃棄物計測装置が、収納容器内の放射性廃棄物の放射能濃度（放射能濃度の分布）を評価する例を説明する。放射能濃度は、放射能量を放射性廃棄物の質量で割ったものであるので、本発明による廃棄物計測装置は、収納容器内の放射性廃棄物の放射能量（放射能量の分布）を評価することもできる。なお、以下の実施例では、放射性廃棄物の放射線が、Ｃｏ−６０やＣｓ−１３７等の放射性核種から放射されたガンマ線である場合を例に挙げて説明する。
【実施例１】
【００１９】
本発明の実施例１による廃棄物計測装置を、図面を用いて説明する。
【００２０】
図１は、本実施例による廃棄物計測装置の構成を示す図である。本実施例による廃棄物計測装置は、汚染量評価結果データベース２、容器内収納パターンデータベース１４、３次元形状データベース３、解析条件入力装置４、解析装置５、解析スペクトル記憶装置６、評価条件入力装置１１、濃度分布評価装置１２、出力装置１３、放射線計測装置９、及び計測スペクトル記憶装置１０を備える。また、汚染量評価結果データベース２、容器内収納パターンデータベース１４、及び３次元形状データベース３は、プラント解体計画支援システム１に接続される。
【００２１】
初めに、廃棄物計測装置とプラント解体計画支援システム１の構成について、簡単に説明する。なお、廃棄物計測装置は、構成要素としてプラント解体計画支援システム１を備えることもできる。
【００２２】
汚染量評価結果データベース２は、汚染量評価結果データを格納するデータベース（ＤＢ）である。汚染量評価結果データは、原子力発電施設等のプラントの解体により発生した放射性廃棄物の汚染状況（放射能汚染量）を評価した結果のデータであり、プラント解体計画支援システム１から取得する。
【００２３】
容器内収納パターンデータベース１４は、容器内収納パターンデータを格納するデータベースである。容器内収納パターンデータは、収納容器７内のどこにどの形状と大きさの放射性廃棄物８が配置されているかという、放射性廃棄物８の収納容器７の中での配置（収納パターン）を示すデータであり、プラント解体計画支援システム１から取得する。容器内収納パターンデータには、収納容器７の形状と大きさについてのデータも含まれる。
【００２４】
３次元形状データベース３は、３次元形状データを格納するデータベースである。３次元形状データは、原子力発電施設等のプラントの解体により発生した放射性廃棄物の３次元形状（３次元の形状と大きさ）のデータであり、プラント解体計画支援システム１から取得する。３次元形状データは、放射性廃棄物の質量のデータを含むことができる。
【００２５】
なお、本実施例では、汚染量評価結果データ、容器内収納パターンデータ、及び３次元形状データをプラント解体計画支援システム１から取得するとしているが、これらのデータは、プラント解体計画支援システム１以外から取得してもよい。
【００２６】
汚染量評価結果データベース２は、評価条件入力装置１１に接続される。容器内収納パターンデータベース１４は、解析条件入力装置４と評価条件入力装置１１に接続される。３次元形状データベース３は、解析条件入力装置４に接続される。
【００２７】
解析条件入力装置４は、解析装置５に接続され、容器内収納パターンデータと３次元形状データ等のデータを入力し、これらのデータを用いて作成した解析対象物のモデル（解析体系）を解析装置５に出力する。解析対象物のモデルは、作業員が作成してもよいし、解析条件入力装置４が作成してもよい。容器内収納パターンデータと３次元形状データを用いることで、実際の体系を正確に反映した解析体系を作成することができ、解析装置５で高精度の解析を行うことができる。
【００２８】
解析装置５は、解析スペクトル記憶装置６に接続され、収納容器７に収納された放射性廃棄物８から放出されたガンマ線のエネルギスペクトルを計算して求める解析を、解析対象物のモデルを用いて行い、解析結果を解析スペクトル記憶装置６に出力する。解析装置５は、解析に必要なデータを解析条件入力装置４から入力し、既存の方法でガンマ線のエネルギスペクトルを求めることができる。
【００２９】
解析スペクトル記憶装置６は、評価条件入力装置１１に接続され、解析装置５の解析結果を格納する。
【００３０】
評価条件入力装置１１は、濃度分布評価装置１２に接続され、濃度分布評価装置１２が行う解析に必要なデータを入力したり生成したりして、濃度分布評価装置１２に出力する。
【００３１】
濃度分布評価装置１２は、出力装置１３に接続され、収納容器７内における放射性廃棄物８の放射能濃度の分布を計算して求める解析を行い、解析結果を出力装置１３に出力する。濃度分布評価装置１２は、解析に必要なデータを評価条件入力装置１１から入力する。
【００３２】
出力装置１３は、濃度分布評価装置１２の解析結果等の、廃棄物計測装置が実施した解析のデータや、廃棄物計測装置に入力されたデータを画面に表示する。
【００３３】
放射線計測装置９は、複数の放射線検出器９１と、放射線検出器９１の計測データを収集する収集装置を備え、計測スペクトル記憶装置１０に接続される。放射線検出器９１は、放射性廃棄物８を収納した収納容器７の周囲に配置される。放射線計測装置９は、収納容器７に収納された放射性廃棄物８の放射線（主に、Ｃｏ−６０やＣｓ−１３７等の放射性核種から放射されたガンマ線）のエネルギスペクトルを計測し、計測データを計測スペクトル記憶装置１０に出力する。
【００３４】
放射線検出器９１には、半導体検出器やシンチレーション検出器等を利用できる。望ましくは、計測対象である放射性核種固有のガンマ線エネルギを弁別できるよう、エネルギ分解能が高いものを利用する。但し、計測対象の核種のガンマ線エネルギを他の核種のガンマ線エネルギと弁別可能な程度のエネルギ分解能を有する検出器であれば、任意の検出器を利用できる。
【００３５】
計測スペクトル記憶装置１０は、評価条件入力装置１１に接続され、放射線計測装置９の計測データを格納する。
【００３６】
プラント解体計画支援システム１は、原子力発電施設等のプラントの解体計画を支援するシステムであり、プラントの３次元ＣＡＤモデル、放射性廃棄物８の物量調査の結果、及び汚染状況調査の結果等の情報を格納し、汚染量評価結果データ、容器内収納パターンデータ、及び３次元形状データを作成して、これらのデータを格納する。放射性廃棄物８の物量調査は、プラントの解体計画時に実施し、プラントを解体する際に発生する放射性廃棄物８の物量（質量や体積）の調査である。汚染状況調査は、プラントの解体計画時に実施し、プラント内機器やプラント建屋の放射能汚染の状況を把握する調査である。プラント解体計画支援システム１には、特許文献３に記載されている装置等、既存のシステムを利用できる。
【００３７】
物量調査では、プラント建設時の設計情報からわかるプラント内機器やプラント建屋の物量と、プラント運転期間内に実施された補修工事等により交換、追加、または撤去された機器等の物量を調査して、放射性廃棄物８の物量を算出する。物量調査の結果に基づき、プラント建設時の３次元ＣＡＤモデルに加え、交換、または追加された機器に関しても３次元ＣＡＤモデルを作成する。これらの３次元ＣＡＤモデルのデータは、３次元形状データとして３次元形状データベース３に格納される。
【００３８】
汚染状況調査では、プラントの運転履歴等の情報に基づき、プラント内機器やプラント建屋の放射能汚染量（放射化状況）をシミュレーションにより求める。また２次汚染については、その放射能汚染量をサンプリング測定等により求める。このようにして、収納容器７に収納される前の放射性廃棄物８の汚染量を評価した結果のデータが、汚染量評価結果データとして、プラント解体計画支援システム１に取り込まれ、汚染量評価結果データベース２に格納される。
【００３９】
プラント解体計画支援システム１は、これらの調査結果とプラントの３次元ＣＡＤモデルのデータ等に基づき、容器内収納パターンデータを作成する。容器内収納パターンデータは、容器内収納パターンデータベース１４に格納される。
【００４０】
本実施例による廃棄物計測装置は、収納容器７内の放射性廃棄物８から放出されたガンマ線のエネルギスペクトルを解析と実際の計測とで得て、収納容器７内における放射性廃棄物８の放射能濃度の分布を求める。濃度分布評価装置１２は、解析装置５が解析で求めたエネルギスペクトルのデータと放射線計測装置９が実際に計測したエネルギスペクトルのデータとを用い、これらのエネルギスペクトルの差が小さくなるような反復計算を行って、収納容器７内における放射性廃棄物８の放射能濃度の分布を求める。
【００４１】
解析装置５は、解析対象物のモデル（解析体系）として、実際の計測の体系と同様の体系のモデルを用いる。すなわち、放射性廃棄物８が収納容器７に収納され、収納容器７の周囲に配置された放射線検出器９１でガンマ線を計測するという体系のモデルを用いる。図１に示した、放射性廃棄物のモデル８ａ、収納容器のモデル７ａ、及び放射線検出器のモデル９１ａは、それぞれ放射性廃棄物８、収納容器７、及び放射線検出器９１を模擬している。放射性廃棄物のモデル８ａと収納容器のモデル７ａは、３次元形状データベース３に格納された３次元形状データと容器内収納パターンデータベース１４に格納された容器内収納パターンデータとから作成することができる。放射線検出器のモデル９１ａは、放射線検出器９１から作成することができる。解析装置５は、放射線検出器のモデル９１ａの位置でのガンマ線のエネルギスペクトルを求める。
【００４２】
解析条件入力装置４は、解析装置５が行う解析に必要なデータ（例えば、容器内収納パターンデータ、３次元形状データ、及び後述する線源モデル）を入力し、これらのデータを解析装置５が使用できるように変換したり、その他の必要な解析条件を生成したりする。解析装置５は、解析に必要なデータを解析条件入力装置４から入力する。
【００４３】
解析装置５が実行する解析は、ガンマ線のエネルギスペクトルを計算する必要があることから、通常はモンテカルロ法に基づくシミュレーションコードが使用される。ただし、ガンマ線のエネルギスペクトルを計算可能であれば、他の手法を用いてもよい。解析装置５による解析結果は、解析スペクトル記憶装置６に格納される。解析装置５での解析は、放射線計測装置９による実測のデータが得られたときに実施してもよいが、モンテカルロ法に基づくシミュレーションは、一般的に計算時間がかかるので、実際の計測の前に予め実施しておくことが望ましい。
【００４４】
濃度分布評価装置１２は、評価条件入力装置１１から入力したデータに基づき、収納容器７に収納された放射性廃棄物８の放射能濃度の分布を評価し、評価結果を出力装置１３に出力する。濃度分布評価装置１２についての詳細は、後述する。
【００４５】
評価条件入力装置１１は、計測スペクトル記憶装置１０に格納された実測のエネルギスペクトルのデータ、解析スペクトル記憶装置６に格納された解析のエネルギスペクトルのデータ、汚染量評価結果データベース２に格納された汚染量評価結果データ、及び容器内収納パターンデータベース１４に格納された容器内収納パターンデータを入力し、これらのデータを濃度分布評価装置１２が使用できるように変換したり、その他の評価条件（例えば、後述する拘束条件）を生成したりする。評価条件入力装置１１は、濃度分布評価装置１２での解析に必要なデータを濃度分布評価装置１２に出力する。
【００４６】
図２は、収納容器７内に収納された放射性廃棄物８の一例を示す図である。図３は、図２の収納容器７と放射性廃棄物８をそれぞれ模擬した収納容器のモデル７ａと放射性廃棄物のモデル８ａの一例を示す図である。図２と図３では、収納容器７とそのモデル７ａを上から見ており、放射性廃棄物８とそのモデル８ａが配管である場合の例を示している。
【００４７】
図２では、放射性廃棄物８として比較的単純な形状のものを示しているが、実際の放射性廃棄物８は、配管の他に、弁、ブロック、板状のもの、及び配管に付属したフランジ等からなり、複雑な形状であることが想定される。放射性廃棄物８が複雑な形状でも、容器内収納パターンデータで示された放射性廃棄物８の収納容器７内での収納パターンに基づいて、実際の放射性廃棄物８が収納容器７に収納され、放射性廃棄物のモデル８ａが作成される。この結果、本実施例による廃棄物計測装置は、収納容器７内の放射性廃棄物８の密度分布を含め、放射性廃棄物８の実際の収納状況に基づいて解析が可能である。
【００４８】
図４は、汚染量評価結果データベース２に格納された汚染量評価結果データ１０１の一例を示す図である。汚染量評価結果データ１０１は、放射性廃棄物８についてのデータであり、汚染状況調査で評価した放射性廃棄物８の放射能汚染量から求めることができる。汚染量評価結果データ１０１は、例えば、放射性廃棄物８について、プラント（原子力発電施設等）の系統、質量、表面積、汚染密度、汚染深さ、除染の状態、汚染区分、全ての核種の汚染濃度（放射能濃度）、及び核種ごとの汚染濃度が示されたデータである。
【００４９】
プラントの系統とは、例えば原子力プラントでは、再循環系、原子炉浄化系、給水系等の系統のことである。除染の状態とは、放射性廃棄物８にプラントの解体前に除染をしたか否かを示す。「除染後」は、プラントの解体前に除染をしたことを示している。汚染区分とは、放射性廃棄物８の汚染が放射化によるものか二次汚染によるものかを示す。汚染濃度は、放射性廃棄物８にプラントの解体前に除染をした場合には、プラントの解体前に除染をした後の汚染濃度（放射能濃度）である。核種ごとの汚染濃度として、図４ではＣｏ−６０とＣｓ−１３７の汚染濃度を示している。
【００５０】
図５は、解析条件入力装置４が表示する解析条件入力画面６１の一例を示す図である。解析条件入力画面６１は、モデル表示画面６３とモデル分割画面６２を表示することができる。
【００５１】
モデル表示画面６３は、解析対象物のモデル（例えば、収納容器のモデル７ａと放射性廃棄物のモデル８ａ）を、座標軸とともに表示する。
【００５２】
モデル分割画面６２は、解析対象物のモデルを複数の領域（以下、「分割小領域」と呼ぶ。）に分割するための情報を入力する画面である。解析対象物のモデルは、解析装置５での解析に必要な線源モデルである複数の分割小領域に分割される。図５では、放射性廃棄物のモデル８ａを９個の分割小領域６４に分割する４つの面（領域分割面１〜４）の位置が指定されている。図５において、分割小領域６４は、一点鎖線で示している。なお、解析条件入力装置４は、放射性廃棄物のモデル８ａの大きさと形状に応じて、放射性廃棄物のモデル８ａを自動的に分割することもできる。
【００５３】
また、解析条件入力画面６１には、モンテカルロ法に基づくシミュレーションに必要な条件等、解析装置５が行う解析に必要なその他の条件も入力することができる。
【００５４】
図６は、評価条件入力装置１１が表示する評価条件入力画面７１の一例を示す図である。評価条件入力画面７１は、放射性廃棄物のモデル８ａと相対汚染分布情報７２を表示することができる。放射性廃棄物のモデル８ａには、容器内収納パターンデータベース１４に収納された容器内収納パターンデータが反映されている。相対汚染分布情報７２は、汚染量評価結果データベース２に格納された汚染量評価結果データと容器内収納パターンデータとから導出でき、図６では放射性廃棄物のモデル８ａに重ねて、放射性廃棄物のモデル８ａを分割して得られた分割小領域６４ごとに表示されている。相対汚染分布情報７２は、放射性廃棄物のモデル８ａ上の汚染の分布を、相対的な汚染濃度（放射能濃度）に応じて段階的に色を付けた等値線図（コンター図）で示したものである。
【００５５】
評価条件入力装置１１は、評価条件入力画面７１に表示された「汚染量評価結果データ読込」ボタンが押下されると、汚染量評価結果データを入力する。また、評価条件入力装置１１は、計測スペクトル記憶装置１０から実測のエネルギスペクトルのデータと、解析スペクトル記憶装置６から解析のエネルギスペクトルのデータを入力するが、これらのデータは、評価条件入力画面７１に表示しても表示しなくてもよい。
【００５６】
また、評価条件入力装置１１は、評価条件入力画面７１に表示された「濃度評価用拘束条件生成」ボタンが押下されると、濃度分布評価装置１２が収納容器７内の放射性廃棄物８の放射能濃度の分布を評価するときに使用する拘束条件を、相対汚染分布情報７２を基に生成する。この拘束条件は、濃度分布評価装置１２が収納容器７内の放射性廃棄物８の放射能濃度の分布を評価するときに、評価精度を向上するために用いる計算上の制約条件である。拘束条件は、例えば、収納容器７内における放射性廃棄物８の放射能濃度（または放射能量）についての条件とすることができる。濃度分布評価装置１２は、拘束条件を満たす放射能濃度の分布を求める。
【００５７】
拘束条件の一例として、収納容器７内での放射性廃棄物８の放射能濃度の上限値と下限値を設定することができる。例えば、上限値は、相対汚染分布情報７２での最大値とし、下限値は、相対汚染分布情報７２での最小値とすることができる（但し、最大値と最小値は、相対汚染分布情報７２で示す相対値ではなく、汚染量評価結果データでの値とする。）。濃度分布評価装置１２は、放射能濃度がこの上限値と下限値の間に収まるような分布を求める。
【００５８】
拘束条件を厳しくすると、評価精度をさらに向上させることができる。上記の拘束条件より厳しい拘束条件の一例として、上記の拘束条件に加えて、放射性廃棄物のモデル８ａを分割して得られた分割小領域６４（図６において一点鎖線で示す領域。）について、互いに接続する２つの分割小領域６４の間の放射能濃度の大小関係を規定することができる。濃度分布評価装置１２は、放射能濃度が上限値と下限値の間に収まり、かつ互いに接続する２つの分割小領域６４の間の放射能濃度が規定した大小関係を満たすような分布を求める。このような厳しい拘束条件を適用すると、濃度分布評価装置１２は、収納容器７内の放射性廃棄物８の放射能濃度の分布をより正確に評価することができ、この結果、収納容器７全体の放射能濃度をより精度よく評価することができる。
【００５９】
図７は、評価条件入力装置１１が生成し濃度分布評価装置１２が使用する、上述の厳しい拘束条件を説明する図である。図７には、図６に示した、９個の分割小領域６４と分割小領域６４ごとに表示された相対汚染分布情報７２が表示されている。９個の分割小領域６４には、Ｃ１〜Ｃ９のラベルが付与されている。図７には、さらに、分割小領域接続関係リスト５１と拘束条件リスト５２が表示されている。
【００６０】
分割小領域接続関係リスト５１は、分割小領域６４間の空間的な接続関係、すなわち、分割小領域６４のそれぞれがどの分割小領域６４と接続しているかを表している。例えば、分割小領域接続関係リスト５１の１行目には、分割小領域Ｃ１が分割小領域Ｃ２、Ｃ４、Ｃ５と接続していることが表されている。
【００６１】
拘束条件リスト５２は、評価条件入力装置１１が生成した拘束条件を表すリストであり、相対汚染分布情報７２と分割小領域接続関係リスト５１から生成できる。拘束条件リスト５２は、分割小領域６４のそれぞれについて、接続する分割小領域６４との間の放射能濃度の大小関係を表している。拘束条件リスト５２の各行において、「＋」の記号は、＋の記号が付けられた分割小領域６４よりも放射能濃度が高いことを、「−」の記号は、−の記号が付けられた分割小領域６４よりも放射能濃度が低いことを、「＝」の記号は、＝の記号が付けられた分割小領域６４と放射能濃度が等しいことを、それぞれ示している。例えば、拘束条件リスト５２の２行目には、分割小領域Ｃ２の放射能濃度が、分割小領域Ｃ１、Ｃ４の放射能濃度より低く、分割小領域Ｃ３、Ｃ６の放射能濃度より高く、分割小領域Ｃ５の放射能濃度と等しいことが表されている。
【００６２】
評価条件入力装置１１は、例えば、次のようにして拘束条件リスト５２を生成する。
【００６３】
初めに、分割小領域Ｃ１への拘束条件を生成するとする。評価条件入力装置１１は、相対汚染分布情報７２と分割小領域接続関係リスト５１から、拘束条件リスト５２の「Ｃ１：」で始まる行（１行目）を生成する。分割小領域Ｃ１は、分割小領域接続関係リスト５１からわかるように、分割小領域Ｃ２、Ｃ４、Ｃ５と接続している。分割小領域Ｃ１の放射能濃度は、相対汚染分布情報７２からわかるように、分割小領域Ｃ２、Ｃ５の放射能濃度より高く、分割小領域Ｃ４の放射能濃度と等しい。そこで、評価条件入力装置１１は、拘束条件リスト５２の「Ｃ１：」で始まる行には、「Ｃ１：＋Ｃ２，＝Ｃ４，＋Ｃ５」と記載する。
【００６４】
評価条件入力装置１１は、このような処理を全ての分割小領域Ｃ１〜Ｃ９に対して実施することで、拘束条件リスト５２を生成する。なお、拘束条件リスト５２で示された分割小領域６４の放射能濃度の分布（例えば、「Ｃ１：＋Ｃ２，＝Ｃ４，＋Ｃ５」という関係の放射能濃度の分布）を満たす放射能濃度は、複数のパターンが考えられる。
【００６５】
評価条件入力装置１１は、このようにして生成した拘束条件リスト５２を、実測のエネルギスペクトルのデータ、解析のエネルギスペクトルのデータ、及びその他の計算条件データとともに、濃度分布評価装置１２に出力する。
【００６６】
濃度分布評価装置１２は、これらの条件に基づき、収納容器７に収納された放射性廃棄物８の放射能濃度の分布を、例えば以下のように計算して求める。
【００６７】
濃度分布評価装置１２は、任意の１つの分割小領域６４に対し、この分割小領域６４の放射能量をα１倍する。分割小領域６４の放射能量は、放射線検出器のモデル９１ａの位置でのエネルギスペクトルのデータと、放射線検出器のモデル９１ａと分割小領域６４との位置関係とから得られる。初期条件としての分割小領域６４の放射能量は、解析スペクトル記憶装置６に格納された解析のエネルギスペクトルのデータを使用して求めるので、濃度分布評価装置１２は、解析スペクトル記憶装置６に格納された解析のエネルギスペクトルのデータをα１倍する。
【００６８】
濃度分布評価装置１２は、このα１倍した解析のエネルギスペクトルと、計測スペクトル記憶装置１０に格納された実測のエネルギスペクトルとの差を求める。濃度分布評価装置１２は、複数のα１の値を用意しておき、この中からこの差が最小となるα１を求める。
【００６９】
濃度分布評価装置１２は、α１の値を変化させてα２とし（α２も複数の値を用意する。）、α１倍した解析のエネルギスペクトルをα２倍させる（すなわち、解析のエネルギスペクトルをα１＊α２倍させる。）。濃度分布評価装置１２は、α１＊α２倍した解析のエネルギスペクトルと、計測スペクトル記憶装置１０に格納された実測のエネルギスペクトルとの差を求め、複数のα２の値の中からこの差が最小となるα２を求める。
【００７０】
濃度分布評価装置１２は、α１倍した解析のエネルギスペクトルとα１＊α２倍した解析のエネルギスペクトルとから、分割小領域６４の放射能量をそれぞれ求め、これらの放射能量の差が予め定めた閾値より小さいか判断する。濃度分布評価装置１２は、これらの放射能量の差が閾値より小さければ、放射能量が一定の値に収束したと判断する。
【００７１】
濃度分布評価装置１２は、以上の計算を、全ての分割小領域６４に対して、放射能量が一定の値に収束するまで解析のエネルギスペクトル（すなわち、分割小領域６４の放射能量）の倍率をα１倍、α１＊α２倍、・・・、α１＊α２＊・・・＊αｎ倍のように変えていって反復し、分割小領域６４ごとに収束した放射能量を求める。そして、分割小領域６４ごとの放射能量を各分割小領域６４を占める放射性廃棄物８の質量で割ることで、分割小領域６４ごとの放射能濃度を求める。濃度分布評価装置１２は、全ての分割小領域６４に対して以上のようにして放射能量と放射能濃度を求めることで、収納容器７に収納された放射性廃棄物８の放射能量の分布と放射能濃度の分布を求めることができる。
【００７２】
また、濃度分布評価装置１２は、収納容器７に収納された放射性廃棄物８の放射能量の分布と放射能濃度の分布から、収納容器７に収納された放射性廃棄物８の全体の放射能量と放射能濃度を求めることもできる。
【００７３】
図８は、出力装置１３が表示する濃度評価結果表示画面８２の一例を示す図である。濃度評価結果表示画面８２は、濃度分布評価装置１２が求めた、収納容器７に収納された放射性廃棄物８の放射能濃度の分布を表示する。
【００７４】
濃度評価結果表示画面８２は、収納容器のモデル７ａと、放射性廃棄物のモデル８ａと、放射性廃棄物のモデル８ａに重ねて分割小領域６４ごとに表示された相対汚染分布情報７２を表示するとともに、それぞれの分割小領域６４に、それぞれの分割小領域６４での放射能濃度８０を数値で出力することができる。放射能濃度８０は、数値での表示の他に、等値線図で表示することもできる。濃度評価結果表示画面８２は、このようにして分割小領域６４ごとに放射能濃度８０を表示することで、放射能濃度８０の分布を出力する。
【００７５】
また、出力装置１３は、濃度評価結果表示画面８２に、濃度分布評価装置１２が求めた、収納容器７に収納された放射性廃棄物８の放射能量の分布を表示することもでき、収納容器７に収納された放射性廃棄物８の全体の放射能量と放射能濃度を表示することもできる。
【００７６】
以上に説明した構成により、本実施例による廃棄物計測装置は、収納容器７内の放射性廃棄物８に密度分布や放射能濃度分布がある場合でも、収納容器７内の放射性廃棄物８の放射能濃度または放射能量を高精度に評価することができる。
【実施例２】
【００７７】
本発明の実施例２による廃棄物計測装置を、図９を用いて説明する。
【００７８】
本実施例では、原子力プラントの廃止措置時において、プラント解体後の除染が実施された場合について説明する。放射性廃棄物８には、プラントの解体前だけでなく、プラントの解体後にも必要に応じて除染をする場合がある。実施例１では、汚染量評価結果データベース２に格納された汚染量評価結果データ１０１には、放射性廃棄物８にプラントの解体前に除染をしたか否かが示されている（図４の「除染の状態」）。本実施例では、汚染量評価結果データ１０１には、さらに、放射性廃棄物８にプラントの解体後に除染をしたか否かが示される。
【００７９】
図９は、汚染量評価結果データベース２に格納された汚染量評価結果データ１０１の一例を示す図であり、プラントの解体後に放射性廃棄物８に対して除染をしたか否かが示されている汚染量評価結果データ１０１を示す図である。図９に示す汚染量評価結果データ１０１には、実施例１での図４に示す汚染量評価結果データ１０１に、さらに解体後除染の有無を示すデータ１０３が追加されている。解体後除染が「有」であれば、プラントの解体後に放射性廃棄物８に対して除染をしたことを示し、解体後除染が「無」であれば、プラントの解体後に放射性廃棄物８に対して除染をしなかったことを示す。
【００８０】
プラントの解体後に放射性廃棄物８に対して除染をした場合（解体後除染が「有」の場合）には、汚染量評価結果データ１０１は、プラントの解体後の除染の後に実施された放射性廃棄物８の汚染量の測定の結果を含む。すなわち、この場合には、汚染量評価結果データ１０１は、プラントの解体後に除染された放射性廃棄物８の汚染量の測定結果を含み、全ての核種の汚染濃度と核種ごとの汚染濃度（Ｃｏ−６０とＣｓ−１３７の汚染濃度）は、プラントの解体後に除染をした後の汚染濃度（放射能濃度）である。
【００８１】
プラントの解体後に除染をした後の汚染濃度は、プラント解体計画支援システム１に入力され、プラント解体計画支援システム１から汚染量評価結果データベース２に格納される。なお、汚染量評価結果データ１０１は、実施例１と同様に、プラント解体計画支援システム１以外から取得してもよい。従って、プラントの解体後に除染をした後の汚染濃度は、汚染量評価結果データベース２に格納された汚染量評価結果データ１０１に直接入力してもよい。
【００８２】
本実施例による廃棄物計測装置は、放射性廃棄物８の、プラント解体後の除染後の汚染濃度を用いて、実施例１と同様に、収納容器７内の放射性廃棄物８の放射能濃度または放射能量とこの分布を評価する。
【００８３】
以上に説明した構成により、本実施例による廃棄物計測装置は、プラントの解体後に放射性廃棄物８に除染をした場合でも、この解体後の除染を考慮して、収納容器７内の放射性廃棄物８の放射能濃度または放射能量を高精度に評価することができる。
【００８４】
なお、本発明は、上記の実施例に限定されるものではなく、様々な変形が可能である。例えば、上記の実施例は、本発明を分かりやすく説明するために詳細に説明したものであり、本発明は、必ずしも説明した全ての構成を備える態様に限定されるものではない。また、ある実施例の構成の一部を他の実施例の構成に置き換えることが可能である。また、ある実施例の構成に他の実施例の構成を加えることも可能である。また、各実施例の構成の一部について、削除したり、他の構成を追加・置換したりすることが可能である。
【符号の説明】
【００８５】
１…プラント解体計画支援システム、２…汚染量評価結果データベース、３…３次元形状データベース、４…解析条件入力装置、５…解析装置、６…解析スペクトル記憶装置、７…収納容器、７ａ…収納容器のモデル、８…放射性廃棄物、８ａ…放射性廃棄物のモデル、９…放射線計測装置、１０…計測スペクトル記憶装置、１１…評価条件入力装置、１２…濃度分布評価装置、１３…出力装置、１４…容器内収納パターンデータベース、５１…分割小領域接続関係リスト、５２…拘束条件リスト、６１…解析条件入力画面、６２…モデル分割画面、６３…モデル表示画面、６４…分割小領域、７１…評価条件入力画面、７２…相対汚染分布情報、８０…放射能濃度、８２…濃度評価結果表示画面、９１…放射線検出器、９１ａ…放射線検出器のモデル、１０１…汚染量評価結果データ、１０３…解体後除染の有無を示すデータ。
【図１】
2018189551.tif 000003
【図２】
2018189551.tif 000004
【図３】
2018189551.tif 000005
【図４】
2018189551.tif 000006
【図５】
2018189551.tif 000007
【図６】
2018189551.tif 000008
【図７】
2018189551.tif 000009
【図８】
2018189551.tif 000010
【図９】
2018189551.tif 000011